【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
顔料色材を含む有色インクと無色インクを吐出する記録ヘッドにより前記有色インクと前記無色インクとを記録媒体の単位領域に付与して前記単位領域に画像の形成を行い、
前記単位領域に形成する画像の色を示す画像データに基づいて前記単位領域へ付与することが定められた量での前記有色インクの付与が完了する前に、前記無色インクの付与を開始する第１の記録モードと、前記画像データに基づいて前記単位領域へ付与することが定められた量での前記有色インクの付与が完了した後に、前記無色インクの付与を開始する第２の記録モードと、を実行する、ための画像処理装置であって、
前記画像データに基づいて、前記第１の記録モードにおける前記画像データが示す明度が所定値よりも低くなる暗部の色の画像を形成する場合の前記無色インクの付与量が前記第２の記録モードにおける該暗部の色の画像を形成する場合の前記無色インクの付与量よりも小さくなるように、前記単位領域に付与する前記無色インクの量を決定するインク量決定手段、
を有することを特徴とする画像処理装置。
【請求項２】
前記暗部は、前記画像データが対応する色空間の全範囲に対して半分の領域を占める、ことを特徴とする請求項１に記載の画像処理装置。
【請求項３】
前記インク量決定手段は、前記画像データに基づいて前記有色インクの前記単位領域への付与量を決定し、
前記暗部は、前記画像データに基づいて画像を形成する際に前記インク量決定手段が前記単位領域にブラックインクの付与を行うことを決定する前記画像データにおける信号値の範囲である、ことを特徴とする請求項１に記載の画像処理装置。
【請求項４】
前記インク量決定手段は、前記暗部に対する前記無色インクの付与量が予め設定された基準値以下となるように前記第１の記録モードの前記無色インクの付与量を決定し、前記暗部に対する前記無色インクの付与量が前記基準値より大きくなるように前記第２の記録モードの前記無色インクの付与量を決定する、ことを特徴とする請求項１乃至３のいずれか１項に記載の画像処理装置。
【請求項５】
前記基準値は、前記無色インクを前記記録媒体上に付与した際に該記録面の光沢度が下がらないような該無色インクの量を示す、ことを特徴とする請求項４に記載の画像処理装置。
【請求項６】
前記第１の記録モードまたは第２の記録モードを設定するための設定手段、をさらに有することを特徴とする請求項１乃至５のいずれか１項に記載の画像処理装置。
【請求項７】
記録品位に係る情報に応じて、前記第１の記録モードまたは前記第２の記録モードを決定するモード決定手段、をさらに有することを特徴とする請求項１乃至５のいずれか１項に記載の画像処理装置。
【請求項８】
前記インク量決定手段は、前記第１の記録モードおよび前記第２の記録モードにおいて、前記画像データが示す最高明度の色に対応する前記無色インクの付与量が最大となるように、前記無色インクの付与量を決定することを特徴とする請求項１乃至７のいずれか１項に記載の画像処理装置。
【請求項９】
前記インク量決定手段はさらに、前記画像データに基づいて前記有色インクの前記単位領域への付与量を決定し、前記第１の記録モードの有色インクの最大付与量が、前記第２の記録モードの有色インクの最大付与量よりも大きくなるように、前記有色インクの前記単位領域への付与量を決定する、ことを特徴とする請求項１乃至８のいずれか１項に記載の画像処理装置。
【請求項１０】
前記記録ヘッドと前記記録媒体とを相対的に複数回走査することにより前記画像の形成を行い、
前記第１の記録モードでは、前記有色インクと前記無色インクとが同じ回の走査で前記記録媒体に付与され、前記第２の記録モードでは、前記有色インクを付与する最後の走査より後の回の走査で、前記無色インクを付与するための１回目の走査が行われる、ことを特徴とする請求項１乃至９のいずれか１項に記載の画像処理装置。
【請求項１１】
前記第１の記録モードと前記第２の記録モードとを実行する記録手段、をさらに有することを特徴とする請求項１乃至１０のいずれか１項に記載の画像処理装置。
【請求項１２】
顔料色材を含む有色インクと無色インクを吐出する記録ヘッドにより前記有色インクと前記無色インクとを記録媒体の単位領域に付与して前記単位領域に画像の形成を行い、
前記単位領域に形成する画像の色を示す画像データに基づいて前記単位領域へ付与することが定められた量での前記有色インクの付与が完了する前に、前記無色インクの付与を開始する第１の記録モードと、前記画像データに基づいて前記単位領域へ付与することが定められた量での前記有色インクの付与が完了した後に、前記無色インクの付与を開始する第２の記録モードと、を実行する、ための画像処理装置において実行される画像処理方法であって、
前記画像データに基づいて、前記第１の記録モードにおける前記画像データが示す明度が所定値よりも低くなる暗部の色の画像を形成する場合の前記無色インクの付与量が前記第２の記録モードにおける該暗部の色の画像を形成する場合の前記無色インクの付与量よりも小さくなるように、前記単位領域に付与する前記無色インクの量を決定するインク量決定工程、
を有することを特徴とする画像処理方法。
【請求項１３】
前記暗部は、前記画像データが対応する色空間の全範囲に対して半分の領域を占める、ことを特徴とする請求項１２に記載の画像処理方法。
【請求項１４】
前記インク量決定工程では、前記画像データに基づいて前記有色インクの前記単位領域への付与量を決定し、
前記暗部は、前記画像データに基づいて画像を形成する際に前記インク量決定工程で前記単位領域にブラックインクの付与を行うことを決定する前記画像データにおける信号値の範囲である、ことを特徴とする請求項１２に記載の画像処理方法。
【請求項１５】
前記インク量決定工程では、前記暗部に対する前記無色インクの付与量が予め設定された基準値以下となるように前記第１の記録モードの前記無色インクの付与量を決定し、前記暗部に対する前記無色インクの付与量が前記基準値より大きくなるように前記第２の記録モードの前記無色インクの付与量を決定する、ことを特徴とする請求項１２乃至１４のいずれか１項に記載の画像処理方法。
【請求項１６】
前記基準値は、前記無色インクを前記記録媒体上に付与した際に、該記録面の光沢度が下がらないような該無色インクの量を示す、ことを特徴とする請求項１５に記載の画像処理方法。
【請求項１７】
前記記録ヘッドと前記記録媒体とを相対的に複数回走査することにより前記画像の形成を行い、
前記第１の記録モードでは、前記有色インクと前記無色インクとが同じ回の走査で前記記録媒体に付与され、前記第２の記録モードでは、前記有色インクを付与する最後の走査より後の回の走査で、前記無色インクを付与するための１回目の走査が行われる、ことを特徴とする請求項１２乃至１６のいずれか１項に記載の画像処理方法。
【請求項１８】
請求項１乃至１０のいずれか１項に記載の画像処理装置の各手段としてコンピュータを機能させるためのプログラム。
【手続補正２】
【補正対象書類名】明細書
【補正対象項目名】発明の名称
【補正方法】変更
【補正の内容】
【発明の名称】画像処理装置、画像処理方法およびプログラム
【手続補正３】
【補正対象書類名】明細書
【補正対象項目名】０００１
【補正方法】変更
【補正の内容】
【０００１】
本発明は、顔料を含む複数色の有色インクと無色インクを用いて記録媒体上に画像形成を行う画像処理装置、画像処理方法およびプログラムに関する。
【手続補正４】
【補正対象書類名】明細書
【補正対象項目名】０００８
【補正方法】変更
【補正の内容】
【０００８】
本発明に係る画像処理装置は、顔料色材を含む有色インクと無色インクを吐出する記録ヘッドにより前記有色インクと前記無色インクとを記録媒体の単位領域に付与して前記単位領域に画像の形成を行い、前記単位領域に形成する画像の色を示す画像データに基づいて前記単位領域へ付与することが定められた量での前記有色インクの付与が完了する前に、前記無色インクの付与を開始する第１の記録モードと、前記画像データに基づいて前記単位領域へ付与することが定められた量での前記有色インクの付与が完了した後に、前記無色インクの付与を開始する第２の記録モードと、を実行する、ための画像処理装置であって、前記画像データに基づいて、前記第１の記録モードにおける前記画像データが示す明度が所定値よりも低くなる暗部の色の画像を形成する場合の前記無色インクの付与量が前記第２の記録モードにおける該暗部の色の画像を形成する場合の前記無色インクの付与量よりも小さくなるように、前記単位領域に付与する前記無色インクの量を決定するインク量決定手段、を有することを特徴とする。